(57)【要約】【課題】複合サッシにおいて、障子の閉鎖時に障子の荷重を十分に支えることができる強度を確保するとともに、下枠のレール部分からの冷熱の伝達を抑制して、さらに断熱性能の向上を図る。【解決手段】  建物開口部に配置される枠体と、枠体内において開閉自在に配置される障子を備え、枠体は、下枠本体と、下枠本体に取り付けられて内障子を案内する内下レール部材と、を有し、内下レール部材は、障子の閉鎖時に外障子側領域に配置される樹脂レールと、障子の閉鎖時に内障子領域に配置される金属レールを有する。【選択図】図２
2019035227.tif 000002
【特許請求の範囲】
【請求項１】
建物開口部に配置される枠体と、枠体内において開閉自在に配置される障子を備え、
枠体は、下枠本体と、下枠本体に取り付けられて内障子を案内する内下レール部材と、を有し、
内下レール部材は、障子の閉鎖時に外障子側領域に配置される樹脂レール部材と、障子の閉鎖時に内障子領域に配置される金属レール部材を有する
ことを特徴とする断熱サッシ。
【発明の詳細な説明】
【技術分野】
【０００１】
本発明は、建物開口部に配置される断熱サッシに関する。
【背景技術】
【０００２】
従来、建物開口部に配置される断熱サッシとして、金属枠体の室内側に樹脂枠体を配置してなる複合枠に対して、金属框材の室内側に樹脂框材を配置してなる複合障子を配置してなる断熱サッシが公知となっている。（特許文献１）
【先行技術文献】
【特許文献】
【０００３】
【特許文献１】特許４９８１１６３号公報
【発明の概要】
【発明が解決しようとする課題】
【０００４】
上記特許文献１の建具は樹脂材料からなる樹脂枠体および樹脂框材を配置することで、建具の室内側面からの冷熱の伝達を抑制し、断熱性能を向上させることができる。
しかし、金属製の下枠については、下枠の上面に樹脂部材等を配置しながらもレール部分を完全に覆うものではなく、レール部分からの冷熱の伝達を防ぐことは難しかった。    本発明は、上記の事情を鑑み、金属材料からなる室外側部材と樹脂材料からなる室内側部材からなる複合サッシにおいて、障子の閉鎖時に障子の荷重を十分に支えることができる強度を確保するとともに、下枠のレール部分からの冷熱の伝達を抑制して、さらに断熱性能の向上を図ることを目的とする。
【課題を解決するための手段】
【０００５】
本発明の一つの実施形態は、建物開口部に配置される枠体と、枠体内において開閉自在に配置される障子を備え、枠体は、下枠本体と、下枠本体に取り付けられて内障子を案内する内下レール部材と、を有し、内下レール部材は、障子の閉鎖時に外障子側領域に配置される樹脂レール部材と、障子の閉鎖時に内障子領域に配置される金属レール部材を有するサッシである。
【発明の効果】
【０００６】
本発明の一つの実施形態により、断熱引き違いサッシ等において、下枠のレール部分からの冷熱の伝達を抑制して、さらに断熱性能の向上を図ることができる。耐風圧性能の向上を図ることができる。
【図面の簡単な説明】
【０００７】
【図１】本発明の実施形態の断熱サッシの外観姿図である。
【図２】本発明の実施形態の断熱サッシの図１におけるｘ１−ｘ１縦断面図である。
【図３】本発明の実施形態の断熱サッシの図１におけるｘ２−ｘ２縦断面図である。
【図４】本発明の実施形態の断熱サッシの横断面図である。
【図５】本発明の第２の実施形態の断熱サッシの下枠の拡大縦断面図であり、（ａ）は図１におけるｘ１−ｘ１縦断面図、（ｂ）は図１におけるｘ２−ｘ２縦断面図である。
【図６】本発明の第３の実施形態の断熱サッシの下枠の拡大縦断面図であり、図１におけるｘ１−ｘ１縦断面図である。
【発明を実施するための形態】
【０００８】
本発明の実施形態に係る断熱サッシについて、図面を参考にして説明する。
−断熱サッシ全体の構成−
本発明の実施形態に係る断熱サッシは、例えばビル等の建物開口部に設けられるものであり、図１に示されるように、枠体１と、枠体１に対して引き違い自在に配置された内障子２および外障子３を有している。
枠体１は、上下の横枠（上枠１１および下枠１２）と左右の竪枠１３，１４を四周に枠組みしてなり、内障子２および外障子３は、それぞれ上下の横框（上框２１，３１および下框２２，３２）と左右の竪框（２３，２４，３３，３４）を四周に框組してなり、内周にガラス等のパネル体（２５，３５）を嵌め込んで形成されている。
【０００９】
−枠体の構成−
（上枠の構成）
サッシの枠体１を構成する上枠１１は、図２，３に示すように、建物開口部に固定されアルミ合金等の金属材料からなる金属上枠１１１と、金属上枠１１１の室内側見付け面に配置され樹脂材料からなる樹脂上枠１１２と、を有している。さらに、上枠１１は、金属上枠１１１の内周面に配置され樹脂材料からなる樹脂カバー部材１１３（図２）及びアルミ合金等の金属材料からなる金属カバー部材１１４（図３）を有している。
【００１０】
上枠１１の金属上枠１１１は、建物開口部の内周に取り付けられる上枠本体部１１１ａと、上枠本体部１１１ａの室内側端から垂下された室内側壁部１１１ｂと、上枠本体部１１１ａの室外側端から垂下された室外側壁部１１１ｃと、上枠本体部１１１ａの中央下面付近より垂下された中央壁部１１１ｄと、室外側壁部１１１ｃと中央壁部１１１ｄの間において上枠本体部１１１ａの下面から垂設された室外側上レール１１１ｅを有している。
【００１１】
金属上枠１１１の室内側壁部１１１ｂの下端室外側面には、内障子２の上框２１の室内側面に当接する気密材ｓ２１が取付溝等によって取り付けられており、室内側壁部１１１ｂの室内側面には、樹脂上枠１１２を取り付けるための係合部が設けられている。また、金属上枠１１１の中央壁部１１１ｄの下端室外側面には、外障子３の上框３１の室内側面に当接する気密材ｓ３１が取付溝等によって取り付けられており、中央壁部１１１ｄの室内側面には、樹脂カバー部材１１３もしくは金属カバー部材１１４を取り付けるために係合部が設けられている。
【００１２】
上枠１１の樹脂上枠１１２は、金属上枠１１１の室内側壁部１１１ｂの係合部に係合されることで金属上枠１１１に固定されている。樹脂上枠１１２は、金属上枠１１１の見付け（左右）方向全長に亘って室内側面を覆うように配置された樹脂上枠本体部１１２ａと、樹脂上枠本体部１１２ａの内周室内側端より室内側に延設された鍔部１１２ｂを有している。
そして、金属上枠１１１に固定された樹脂上枠１１２の樹脂上枠本体部１１２ａの下壁が室外側に延設されており、室内側壁部１１１ｂの下端面を覆うと共に気密材ｓ２１に当接もしくは近接している。そのため、金属上枠１１１の室内側壁部１１１ｂは、室内側に露出することがない。
【００１３】
上枠１１の樹脂カバー部材１１３は、図２に示すように、上枠本体部１１１ａの内周（下）面に沿って配置される内周壁部１１３ａと、内周壁部１１３ａの室内側から下方に向けて設けられた室内側の見付け壁部１１３ｂと、内周壁部１１３ａの室外側から下方に向けて設けられ、中央壁部１１１ｄの室内側に沿って配置された断面中空形状の室外側の見付け壁部１１３ｃと、室外側の見付け壁部１１３ｃの下端より室内方向に延設された断面中空形状の下壁部１１３ｄと、を有している。
【００１４】
樹脂カバー部材１１３は、内、外障子２，３の閉鎖時で見付け方向外障子３側において、金属上枠１１１の内周に配置されており、室内側の見付け壁部１１３ｂを金属上枠１１１の室内側壁部１１１ｂの室外側に形成された気密材の取付溝に係止するとともに、室外側の見付け壁部１１３ｃおよび下壁部１１３ｄを中央壁部１１１ｄに形成された係合部に係合することにより、金属上枠１１１に取り付けられている。樹脂カバー部材１１３の下壁部１１３ｄは、中央壁部１１１ｄの下端面において気密材ｓ３１に当接もしくは近接するように配置されており、閉鎖した外障子３の室内側において金属上枠１１１が室内に露出することがない。
【００１５】
上枠１１の金属カバー部材１１４は、図３に示すように、上枠本体部１１１ａの内周（下）面に沿って配置される内周壁部１１４ａと、内周壁部１１４ａの室内側から下方に向けて設けられた室内側の見付け壁部１１４ｂと、内周壁部１１４ａの室外側から下方に向けて設けられ中央壁部１１１ｄの室内側に沿って配置された断面中空形状の室外側の見付け壁部１１４ｃと、室外側の見付け壁部１１４ｃの下端より室内方向に延設された断面中空形状の下壁部１１４ｄと、を有している。
【００１６】
金属カバー部材１１４は、内、外障子２，３の閉鎖時で見付け方向内障子２側において、金属上枠１１１の内周に配置されており、室内側の見付け壁部１１４ｂを金属上枠１１１の室内側壁部１１１ｂの室外側に形成された気密材の取付溝に係止するとともに、室外側の見付け壁部１１４ｃおよび下壁部１１４ｄを中央壁部１１１ｄに形成された係合部に係合することにより、金属上枠１１１に取り付けられている。
【００１７】
（下枠の構成）
サッシの枠体１を構成する下枠１２は、図２，３に示すように、建物開口部に固定されアルミ合金等の金属材料からなる金属下枠１２１と、金属下枠１２１の室内側見付け面に配置され樹脂材料からなる樹脂下枠１２２と、を有している。さらに、下枠１２は、内、外障子２，３の閉鎖状態において、外障子３側の金属下枠１２１の内周面（上面）に固定される樹脂レール部材１２３と、内、外障子２，３の閉鎖状態において、内障子２側の金属下枠１２１の内周面（上面）に固定される金属レール部材１２４とを有している。
【００１８】
下枠１２の金属下枠１２１は、建物開口部の内周に取り付けられる下枠本体部１２１ａと、下枠本体部１２１ａの室内側に設けられる断面中空形状の立上り部１２１ｂと、立上り部１２１ｂの室内側見付け面が上方に延設されてなる室内側壁部１２１ｃと、立上り部１２１ｂの室外側面の上方位置から室外側に向かって延設される気密材保持片部１２１ｄと、立上り部１２１ｂの上面に設けられる補強芯部１２１ｅと、下枠本体部１２１ａの室外側上面に設けられる室外下レール部１２１ｆと、下枠本体部１２１ａの室外側端部が上方に屈曲されてなる室外側壁部１２１ｇを有している。
【００１９】
金属下枠１２１の室内側壁部１２１ｃの上端室外側面には、内障子２の下框２２の室内側面に当接する気密材ｓ２２が取付溝等によって取り付けられており、気密材保持片部１２１ｄの室外側端部には、外障子３の下框３２の室内側面に当接する気密材ｓ３２が取付溝等によって取り付けられている。
【００２０】
立上り部１２１ｂの室内側面および室内側壁部１２１ｃの上端部には、樹脂下枠１２２を取り付けるための係合部が形成されている。また、立上り部１２１ｂの上面の補強芯部１２１ｅの見込み方向両側に、樹脂レール部材１２３もしくは金属レール部材１２４を保持するための係合片部１２１ｈ，１２１ｈが設けられており、補強芯部１２１ｅの見込み方向両面に突状部１２１ｉ，１２１ｉが設けられている。
なお、金属下枠１２１の室外側壁部１２１ｇは、金属上枠１１の室外側壁部１１１ｃとともに、図示しない網戸が走行するレールを構成してもよい。
【００２１】
下枠１２の樹脂下枠１２２は、立上り部１２１ｂの室内側面および室内側壁部１２１ｃの上端部に形成された係合部に係合されることで金属下枠１２１に固定されている。樹脂下枠１２２は、金属下枠１２１の見付け（左右）方向全長に亘って室内側面を覆うように配置された樹脂下枠本体１２２ａと、樹脂下枠本体１２２ａの内周室内側端より室内側に延設された鍔部１２２ｂを有している。
そして、金属下枠１２１に固定された樹脂下枠１２２の樹脂下枠本体１２２ａの上壁が室外側に延設されており、室内側壁部１２１ｃの上端面を覆うと共に気密材ｓ２２に当接もしくは近接している。
【００２２】
下枠１２の樹脂レール部材１２３は、図２に示すように、断面略逆Ｕ字状で上方に突出する形状の樹脂レール部１２３ａと、樹脂レール部１２３ａの室内側に連続する室内カバー部１２３ｂと、樹脂レール部１２３ａの室外側に連続する室外カバー部１２３ｃを有しており、下枠１２の上面の見付け方向中央位置から左縦枠１３に至る範囲に配置されている。
樹脂レール部１２３ａは、金属下枠１２１の立上り部１２１ｂの上面で補強芯部１２１ｅに被さるように配置されており、立上り部１２１ｂに配置された樹脂レール部１２３ａの下端は、立上り部１２１ｂの上面に設けられた係合片部１２１ｈ，１２１ｈに保持されている。樹脂レール部１２３ａの内周には、補強芯部１２１ｅの突状部１２１ｉ，１２１ｉの先端が当接している。
室内カバー部１２３ｂは、樹脂レール部１２３ａの室内側面から立上り部１２１ｂの上面を覆うように室内方向に延設されており、室内側先端は室内側壁部１２１ｃに取付けられた気密材ｓ２２に当接している。また、室外カバー部１２３ｃは、樹脂レール部１２３ａの室外側面から立上り部１２１ｂ及び気密材保持片部１２１ｄの上面を覆うように室外方向に延設されており、室外側先端は気密材保持片部１２１ｄに取付けられた気密材ｓ３２に当接している。
このため、内、外障子２，３の閉鎖状態において、外障子３側の下枠１２の室内側への露出を最小減にとどめている。
【００２３】
下枠１２の金属レール部材１２４は、図３に示すように、断面略逆Ｕ字状で上方に突出する形状の金属レール部１２４ａと、金属レール部１２４ａの室外側面から斜め下方に延びる室外脚部１２４ｂを有しており、下枠１２の見付け方向中央位置から右縦枠１４に至る範囲に配置されている。
金属レール部１２４ａは、金属下枠１２１の立上り部１２１ｂの上面で補強芯部１２１ｅに被さるように配置されており、立上り部１２１ｂに配置された金属レール部材１２４の下端は、立上り部１２１ｂの上面に設けられた係合片部１２１ｈ，１２１ｈに保持されるとともに、室外脚部１２４ｂの先端が立上り部１２１ｂの室外側面に当接している。金属レール部材１２４の内周に補強芯部１２１ｅの突状部１２１ｉ，１２１ｉの先端が当接している。
そして、樹脂レール部材１２３の樹脂レール部１２３ａと金属レール部材１２４の金属レール部１２４ａは、見付け方向ほぼ中央位置で連続されており、内障子２を案内する内下レール部材は、内、外障子２，３の閉鎖時において外障子３側の領域が樹脂レールである樹脂レール部材１２３により形成され、内障子２側の領域が金属レールである金属レール部材１２４により形成されている。
【００２４】
（左竪枠の構成）
サッシの枠体１を構成する左竪枠１３は、図４に示すように、建物開口部に固定されアルミ合金等の金属材料からなる金属左竪枠１３１と、金属左竪枠１３１の室内側内周面に配置され樹脂材料からなる主樹脂左竪枠１３２と、主樹脂左竪枠１３２の内周面に配置された副樹脂左竪枠１３３を有している。
【００２５】
左竪枠１３の金属左竪枠１３１は、建物開口部の内周に取り付けられる左竪枠本体部１３１ａと、左竪枠本体部１３１ａの室内側端内周面から内周方向に延設された室内側壁部１３１ｂと、左竪枠本体部１３１ａの見込み方向で中央よりやや室外側寄りから内周方向に延設された気密材取付部１３１ｃと、気密材取付部１３１ｃの室外側で左竪枠本体部１３１ａの内周面から内周方向に延設された引寄せ片部１３１ｄと、左竪枠本体部１３１ａの室外側端内周面から内周方向に延設された室外側壁部１３１ｅを有している。
【００２６】
金属左竪枠１３１の気密材取付部１３１ｃの室外側面には、外障子３の戸先框３３の室内側面に当接する気密材ｓ３３が取付溝等により取り付けられており、気密材取付部１３１ｃの室内側面には、主樹脂左竪枠１３２の室外側端部を係合する係合部が形成されている。
【００２７】
左竪枠１３の主樹脂左竪枠１３２は、中空部を有し金属左竪枠１３１の気密材取付部１３１ｃよりも室内側の内周面を覆う樹脂左竪枠本体部１３２ａと、金属左竪枠１３１よりも室内側に位置するように樹脂左竪枠本体部１３２ａの室内側に形成された室内側部１３２ｂと、中空部の室外側に形成された副樹脂竪枠取付部１３２ｃと、室内側部１３２ｂの室内側内周端から室内方向に延設された鍔部１３２ｄを有している。
【００２８】
主樹脂左竪枠１３２は、樹脂左竪枠本体部１３２ａと室内側部１３２ｂとの境目部分の外周側に、金属左竪枠１３１の室内側壁部１３１ｂが嵌合される嵌合部１３２ｅが形成されており、金属左竪枠１３１の室内側壁部１３１ｂを嵌合させた状態で室外側端部を気密材取付部１３１ｃの室内側面に形成された係合部に係合させることで、金属左竪枠１３１の見付け（上下）方向全長に亘って配置されている。
そして、主樹脂左竪枠１３２は、内、外障子２，３の閉鎖時において、金属左竪枠１３１の内周面を覆っており，金属左竪枠１３１が室内側に露出することがない。
【００２９】
左竪枠１３の副樹脂左竪枠１３３は、軟質の樹脂材料等からなる戸当り部１３３ａと、主樹脂左竪枠１３２の副樹脂竪枠取付部１３２ｃに係合する取付部１３３ｂを有している。副樹脂左竪枠１３３は、取付部１３３ｂを主樹脂左竪枠１３２の副樹脂竪枠取付部１３２ｃに取り付けることで、戸当り部１３３ａが主樹脂左竪枠１３２の内周面に連続するように取り付けられている。
【００３０】
（右竪枠の構成）
サッシの枠体１を構成する右竪枠１４は、図４に示すように、建物開口部に固定されアルミ合金等の金属材料からなる金属右竪枠１４１と、金属右竪枠１４１の室内側端部に配置され樹脂材料からなる樹脂右竪枠１４２を有している。
【００３１】
右竪枠１４の金属右竪枠１４１は、建物開口部の内周に取り付けられた右竪枠本体部１４１ａと、右竪枠本体部１４１ａの室内側内周面から内周方向に延設された室内側壁部１４１ｂと、室内側壁部１４１ｂの室外側において右竪枠本体部１４１ａの内周面から内周方向に延設された引寄せ片部１４１ｃと、右竪枠本体部１４１ａの見込み方向ほぼ中央位置の内周面から内周方向に延設された中央壁部１４１ｄと、右竪枠本体部１４１ａの室外側端から内周方向に延設された室外側壁部１４１ｅを有している。
【００３２】
金属右竪枠１４１の室内側壁部１４１ｂの室外側面には、内障子２の戸先框２４の室内側面に当接する気密材ｓ２４が取付溝等により取り付けられており、室内側面には、樹脂右竪枠１４２を係合する係合部が形成されている。
【００３３】
右竪枠１４の樹脂右竪枠１４２は、金属右竪枠１４１の室内側壁部１４１ｂの係合部に係合して、室内側壁部１４１ｂの見付け（上下）方向全長に亘って室内側面を覆うように配置されている。
樹脂右竪枠１４２は、室内側壁部１４１ｂの内周端面において気密材ｓ２４に当接もしくは近接するように配置されており、金属右竪枠１４の室内側壁部１４１ｂは、室内側に露出することがない。そして、樹脂右竪枠１４２の内周室内側端には室内方向に延びる鍔部１４２ｂが形成されている。
【００３４】
−内、外障子の構成−
（上框の構成）
内、外障子２，３を構成する上框２１，３１は、構造上ほぼ同一であるので、ここでは内障子２の上框２１を用いて説明する。
内障子２を構成する上框２１は、図３に示すように、アルミ合金等の金属材料からなる金属上框２１１と、金属上框２１１の室内側面に配置された樹脂上框２１２を有している。
【００３５】
金属上框２１１は、中空部を有し上方に開口する開口部を有する上框本体部２１１ａと、上框本体部２１１ａの内周（下方）に連設されたパネル間口部２１１ｂを有している。パネル間口部２１１ｂは、上框本体部２１１ａに比べて見込み方向に幅広に形成されており、上框本体部２１１ａの室内側の下端が室内側へ張り出すように連設されている。上框本体部２１１ａの室内側面の上端とパネル間口部２１１ｂの室内側の下端には、樹脂上框２１２を係止する上下の係止部が形成されている。
【００３６】
樹脂上框２１２は、上框本体部２１１ａの室内側面に配置される上方壁部２１２ａと、パネル間口部２１１ｂの室内側面に配置される下方壁部２１２ｃと、上方壁部２１２ａと下方壁部２１２ｃとを連結する見込み壁部２１２ｂを有している。上方壁部２１２ａと下方壁部２１２ｃには、それぞれ上、下中空部２１２ｄ，２１２ｅが形成されている。
上方壁部２１２ａの上端および下方壁部２１２ｃの下端にはそれぞれ係止部が形成されており、上框本体部２１１ａの室内側面の上端とパネル間口部２１１ｂの室内側の下端に形成された上下の係止部に対してそれぞれが係止されることで、樹脂上框２１２は金属上框２１１に対して空間を有して室内側に配置されている。
上框２１は、樹脂上框２１２と金属上框２１１との間の空間、および、上、下中空部２１２ｄ，２１２ｅによって、高い断熱性能を有している。
【００３７】
内障子２の上框２１は、上枠１１に摺動自在に案内されており、内、外障子３の閉鎖時において、上框２１の樹脂上框２１２の室内側面に上枠１１の室内側壁部１１１ｂの室外側面に取り付けられた気密材ｓ２１が当接している。
一方、外障子３の上框３１は、上枠１１の室外側上レール１１１ｅに摺動自在に案内されており、上框３１の樹脂上框３１２の室内側面に上枠１１の中央壁部１１１ｄの室外側面に取り付けられた気密材ｓ３１が当接している。
【００３８】
（下框の構成）
内障子２を構成する下框２２は、図３に示すように、アルミ合金等の金属材料からなる金属下框２２１と、金属下框２２１の室内側面に配置され樹脂材料からなる樹脂下框２２２を有している。
【００３９】
内障子２の金属下框２２１は、下枠１２に設けられた室内レールに案内される車輪ｗを収納する下框本体部２２１ａと、下框本体部２２１ａの内周に連設されたパネル間口部２２１ｂを有している。パネル間口部２２１ｂは、下框本体部２２１ａに比べて見込み方向に幅広に形成されており、下框本体部２２１ａの上端から室内側へ張り出すように連設されている。下框本体部２２１ａの室内側面の下端とパネル間口部２２１ｂの室内側の上端には、樹脂下框２２２を係止する上下の係止部が形成されている。
【００４０】
内障子２の樹脂下框２２２は、見込み方向に並ぶ複数の中空部からなる樹脂下框本体部２２２ａと、樹脂下框本体部２２２ａの下面から延びた複数のヒレ片２２２ｃを有している。複数の中空部のうち最も室内側に配置された室内中空部２２２ｂは他の中空部よりも内周側に延びており、金属下枠１２１のパネル間口部２２１ｂの室内側を覆っている。室内中空部２２２ｂの上端および樹脂下框本体部２２２ａの下端にはそれぞれ係止部が形成されており、下框本体部２２１ａの室内側面の下端とパネル間口部２２１ｂの室内側の上端に形成された上下の係止部に対してそれぞれが係止されることで、樹脂下框２２２は、金属下框２２１に対して空間を有して室内側に配置されている。
下框２２は、樹脂下框２２２と金属下框２２１との間の空間及び複数の中空部によって、高い断熱性能を有している。また、樹脂下框本体部２２２ａの下面から延びた複数のヒレ片２２２ｃは、下枠１２の樹脂下枠１２２の上面に近接しており、樹脂下框本体部２２２ａの下面と樹脂下枠１２２の上面との間の空間を見込み方向に分割している。これによって、下枠１２と下框２２との間に断熱空間が形成されて、内障子２と下枠１２との間は、断熱性能が向上している。
【００４１】
一方、外障子３を構成する下框３２は、図２に示すように、アルミ合金等の金属材料からなる金属下框３２１と、金属下框３２１の室内側に配置される樹脂材料からなる樹脂下框３２２を有している。
外障子３の金属下框３２１は、下枠１２に設けられた室外下レール部１２１ｆに案内される車輪ｗを収納する下框本体部３２１ａと、下框本体部３２１ａの内周に連設されるパネル間口部３２１ｂを有している。パネル間口部３２１ｂは、下框本体部３２１ａに比べて見込み方向に幅広に形成されており、下框本体部３２１ａの上端から室内側へ張り出すように連設されている。下框本体部３２１ａの室内側面の下端とパネル間口部３２１ｂの室内側の上端には、樹脂下框３２２を係止する上下の係止部が形成されている。
【００４２】
外障子３の樹脂下框３２２は、中空部からなる樹脂下框本体部３２２ａと、樹脂下框本体部３２２ａの室内側内周面から上方に延設され中空部からなる室内樹脂框３２２ｂと、樹脂下框本体部３２２ａの下面から延びた複数のヒレ片３２２ｃを有している。室内樹脂框３２２ｂの上端および樹脂下框本体部３２２ａの下端にはそれぞれ係止部が形成されており、下框本体部３２１ａの室内側面の下端とパネル間口部３２１ｂの室内側の上端に形成された上下の係止部に対してそれぞれが係止されることで、樹脂下框３２２は、金属下框３２１に対して空間を有して室内側に配置されている。
下框３２は、樹脂下框３２２と金属下框３２１との間の空間及び中空部によって、高い断熱性能を有している。また、樹脂下框本体部３２２ａの下面から延びた複数のヒレ片３２２ｃは、下枠１２の、室外カバー部１２３ｃの上面に近接しており、樹脂下框本体部３２２ａの下面と、室外カバー部１２３ｃの上面との間の空間を見込み方向に分割している。これによって、下枠１２と下框３２との間に断熱空間が形成されて、外障子３と下枠１２との間は、断熱性能が向上している。
【００４３】
（戸先框の構成）
内、外障子２，３を構成する戸先框２４，３３は、構造上ほぼ同一であるので、ここでは主に、内障子２の戸先框２４を用いて説明する。
内障子２を構成する戸先框２４は、図４に示すように、アルミ合金等の金属材料からなる金属戸先框２４１と、金属戸先框２４１の室内側面に配置され樹脂材料からなる樹脂戸先框２４２を有している。
【００４４】
金属戸先框２４１は、中空部と中空部の戸先側に連設された開口溝とからなる戸先框本体部２４１ａと、戸先框本体部２４１ａの内周に連設されたパネル間口部２４１ｂを有しており、戸先框本体部２４１ａの開口溝に引寄せブロックｆが配置されている。パネル間口部２４１ｂは、戸先框本体部２４１ａに比べて見込み方向に幅広に形成されており、戸先框本体部２４１ａの内周端から室内側へ張り出すように連設されている。
戸先框本体部２４１ａの開口溝を構成する室内側壁の戸先側先端部およびパネル間口部２４１ｂの室内側内周端部には、樹脂戸先框２４２を係止する係止部が形成されている。
【００４５】
樹脂戸先框２４２は、戸先框本体部２４１ａの室内側面を覆う戸先側部２４２ａとパネル間口部２４１ｂの室内側面を覆う間口側部２４２ｃと戸先側部２４２ａと間口側部２４２ｃとを連結する見込み方向に延びる断面中空形状の見込み壁部２４２ｂを有している。
樹脂戸先框２４２は、戸先側部２４２ａの戸先側端部および間口側部２４２ｃの内周側端部に係止部が形成されており、戸先框本体部２４１ａおよびパネル間口部２４１ｂに形成された上下の係止部に対してそれぞれが係止されることで、金属戸先框２４１に対して空間を有して室内側に配置されている。
戸先框２４は、樹脂戸先框２４２と金属戸先框２４１との間の空間、および、見込み壁部２４２ｂの中空部によって、高い断熱性能を有している。
【００４６】
また、内、外障子２，３の閉鎖状態において、右竪枠１４と右竪框２４との間においては、右竪枠１４に配置した気密材ｓ２４が戸先框２４に当接するとともに、樹脂右竪枠１４２が樹脂戸先框２４２に近接している。これによって、樹脂戸先框２４２の戸先側部２４２ａと見込み壁部２４２ｂ及び右竪枠１４の樹脂右竪枠１４２とによって半密閉もしくは密閉空間Ｓ２が形成され、右竪枠１４と内障子２との間の断熱性能が向上している。
【００４７】
一方、内、外障子２，３の閉鎖状態において、左竪枠１３と外障子３との間においては、左竪枠１３に配置した気密材ｓ３３が戸先框３３に当接するとともに、副樹脂左竪枠１３３が樹脂戸先框３３２に当接している。これによって、樹脂材料からなる樹脂戸先框３３２の戸先側部３３２ａと見込み壁部３３２ｂ及び左竪枠１３の副樹脂左竪枠１３３とによって半密閉もしくは密閉空間Ｓ３が形成され、左竪枠１３と外障子３との間の断熱性能が向上している。
【００４８】
（召合框の構成）
内障子２を構成する召合框２３は、図４に示すように、アルミ合金等の金属材料からなる金属召合框２３１と、金属召合框２３１の外周側面および室内側面に配置され樹脂部材からなる樹脂召合框２３２を有している。
【００４９】
金属召合框２３１は、中空部を有し室外側面に気密材ｓ５２が取り付けられるとともにＬ形片が形成された召合框本体部２３１ａと、召合框本体部２３１ａの内周に連設されたパネル間口部２３１ｂを有しており、召合框本体部２３１ａとパネル間口部２３１ｂの外周側面および室内側面には、樹脂召合框２３２を係止する複数の係止部が形成されている。
【００５０】
樹脂召合框２３２は、見込み方向および見付け方向にならぶ複数の中空部を有する樹脂召合框本体部２３２ａからなり、金属召合框２３１に形成された複数の係止部に係止されることで、金属召合框２３１の外周側面から室内側面にかけて空間を有して配置されている。
召合框２３は、樹脂召合框２３２と金属召合框２３１との間の空間および複数の中空部によって、高い断熱性能を有している。
【００５１】
外障子３を構成する召合框３４は、図４に示すように、アルミ合金等の金属材料からなる金属召合框３４１と、金属召合框３４１の室内側面に配置された樹脂材料からなる樹脂召合框３４２を有している。
【００５２】
金属召合框３４１は、中空部を有し室内側面に内障子２の金属召合框２３１の室外側面に形成されたＬ形片と協働して煙返しを形成するＬ形片が形成された召合框本体部３４１ａと、召合框本体部３４１ａの内周に連設されたパネル間口部３４１ｂを有している。
召合框本体部３４１ａは、中空部の室内側面に加熱により膨張する加熱膨張材を取り付けるための膨張材取付部３４１ｃを備え、膨張材取付部３４１ｃの内周側には樹脂召合框３４２を係止するための係止部が形成されている。
【００５３】
樹脂召合框３４２は、金属召合框３４１に形成された係止部に係止されることで、召合框本体部３４１ａの室内側面およびパネル間口部３４１ｂの室内側を覆うように取り付けられる。召合框３４は、内、外障子３の閉鎖状態において、内障子２の召合框２３に取り付けられた気密材ｓ５２が樹脂召合框３４２に当接し、外障子３の召合框３４の金属召合框３４１が室内側に露出することがない。
【００５４】
（下枠の他の実施形態）
以下に、金属レール及び樹脂レールからなる室内レールの第２の実施形態を、図５を参考にして、説明する。なお、先の実施形態と同様の構成については、説明を省略する。
第２の実施形態のサッシの枠体１を構成する下枠１２は、図５に示すように、建物開口部に固定されアルミ合金等の金属材料からなる金属下枠１２１と、金属下枠１２１の室内側見付け面に配置され樹脂材料からなる樹脂下枠１２２と、を有している。さらに、下枠１２は、内、外障子２，３の閉鎖状態において、外障子３側の金属下枠１２１の内周面（上面）に固定される樹脂レール部材１２３と、内、外障子２，３の閉鎖状態において、内障子２側の金属下枠１２１の内周面（上面）に固定される金属レール部材１２４とを有している。
【００５５】
下枠１２の金属下枠１２１は、建物開口部の内周に取り付けられる下枠本体部１２１ａと、下枠本体部１２１ａの室内側に設けられる断面中空形状の立上り部１２１ｂと、立上り部１２１ｂの室内側見付け面が上方に延設されてなる室内側壁部１２１ｃと、立上り部１２１ｂの室外側面の上方位置から室外側に向かって延設される気密材保持片部１２１ｄと、下枠本体部１２１ａの室外側上面に設けられる室外下レール部１２１ｆと、下枠本体部１２１ａの室外側端部が上方に屈曲されてなる室外側壁部１２１ｇを有している。すなわち、図５に示す実施形態においては、金属下枠１２１は、立上り部１２１ｂの上面に補強芯部１２１ｅを有していない点で、図２，３に示す実施形態と異なっている。
そして、立上り部１２１ｂの上面には、樹脂レール部材１２３もしくは金属レール部材１２４を保持するための室外側の係合片部１２１ｊと室内側の係合片部１２１ｋが、高さを異ならせて設けられている。
【００５６】
樹脂レール部材１２３は、図５（ａ）に示すように、断面中空形状で上方に突出する形状の樹脂レール部１２３ａと、樹脂レール部１２３ａの室内側に連続する室内カバー部１２３ｂと、樹脂レール部１２３ａの室外側に連続する室外カバー部１２３ｃを有しており、下枠１２の上面の見付け方向中央位置から左縦枠１３に至る範囲に配置されている。
樹脂レール部１２３ａは、中空内部に例えば金属等の材料を板状に形成してなる補強芯材１２３ｅが挿入されている。
補強芯材１２３ｅは、板状部材の両面から突状部１２３ｆ，１２３ｆが突出しており、樹脂レール部１２３ａの中空部内に挿入された補強芯材１２３ｅの突状部１２３ｆ，１２３ｆの先端が中空部の内壁に当接している。
【００５７】
室内カバー部１２３ｂは、樹脂レール部１２３ａの室内側面から立上り部１２１ｂの上面を覆うように室内方向に延設されており、室内側先端は室内側壁部１２１ｃに取付けられた気密材ｓ２２に当接している。室内カバー部１２３ｂの下面には、係止爪１２３ｇが形成されており、樹脂レール部１２３ａの下方部位が金属下枠１２１の室外側の係合片部１２１ｊに当接した状態で、係止爪１２３ｇが室内側の係合片部１２１ｋに係止することで、樹脂レール部材１２３が金属下枠１２１に取付けられている。
また、室外カバー部１２３ｃは、樹脂レール部１２３ａの室外側面から立上り部１２１ｂ及び気密材保持片部１２１ｄの上面を覆うように室外方向に延設されており、室外側先端は気密材保持片部１２１ｄに取付けられた気密材ｓ３２に当接している。
【００５８】
下枠１２の金属レール部材１２４は、図５（ｂ）に示すように、断面中空形状で上方に突出する形状の金属レール部１２４ａと、金属レール部１２４ａの室外側面から斜め下方に延びる室外脚部１２４ｂを有しており、下枠１２の見付け方向中央位置から右縦框１４に至る範囲に配置されている。
金属レール部１２４ａの下端は、幅方向左右に突出する突出部１２４ｄ、１２４ｄが形成されており、突出部１２４ｄ、１２４ｄが立上り部１２１ｂの上面に設けられた室外側の係合片部１２１ｊと室内側の係合片部１２１ｋに係合して、金属下枠１２１の立上り部１２１ｂの上面に固定されている。
そして、樹脂レール部材１２３の樹脂レール部１２３ａと金属レール部材１２４の金属レール部１２４ａは、見付け方向ほぼ中央位置で連続されており、内障子２を案内する室内レールは、内、外障子２，３の閉鎖時において外障子３側の領域が樹脂レールである樹脂レール部材１２３により形成され、内障子２側の領域が金属レールである金属レール部材１２４により形成されている。
【００５９】
以上の第２の実施形態においては、金属下枠の上面に補強芯材が突出しないので、様々な高さの樹脂レール部材及び金属レール部材を配置することができ、サッシの設計の自由度が向上する。
【００６０】
以下に、金属レール及び樹脂レールからなる室内レールの第３の実施形態を、図６を参考にして、説明する。第３の実施形態の下枠１２は、第２の実施形態の樹脂レール部材１２３において、樹脂レール部１２３ａの一部が開放している点でのみ異なっている。
具体的には、図６に示すように、樹脂レール部材１２３の樹脂レール部１２３ａは、室外カバー部１２３ｃの下方位置の一部分が切り欠かれて切り欠き部１２３ｋが形成されている。そして、樹脂レール部１２３ａの切り欠き部１２３ｋの室外側部分を屈曲させて、室外側の係合片部１２１ｊに対する係止爪１２３ｍとして形成している。
これによって、樹脂レール部１２３ａ内に補強芯材１２３ｅを挿入する際に切り欠き部１２３ｋを広げてそこから挿入することができ、樹脂レール部材１２３の製造を容易にすることができる。
【００６１】
以上のように、内障子２を案内する室内レールを、内、外障子２，３の閉鎖時において、外障子３側の領域を樹脂レールである樹脂レール部材１２３により形成し、内障子２側の領域を金属レールである金属レール部材１２４により形成しているので、障子の閉鎖時に室内に露出する部分を断熱性の高い樹脂部材によって完全に覆うことができる。また、閉鎖時に内障子２は、金属レールにより支持されているので、強風等によって外力が加わっても変形することが少なく、耐風圧性に優れた建具を得ることができる。
【００６２】
なお、上記補強芯材の材料は、アルミ合金やスチール等の金属材料に限るものではなく、カーボン等強度の高いものであれば、特に限定されるものではない。
また、樹脂レールは、樹脂レール部を中実にしたり、強度の高い材料を用いるなどして十分な強度を得ることによって、補強芯部や補強芯材によって補強することなく構成することも可能である。
【符号の説明】
【００６３】
１        ：枠体
１１      ：上枠
１２      ：下枠
１２１    ：金属下枠（下枠本体）
１２１ａ  ：下枠本体部
１２１ｂ  ：部
１２１ｃ  ：室内側壁部
１２１ｄ  ：気密材保持片部
１２１ｅ  ：補強芯部
１２１ｆ  ：室外下レール部
１２１ｇ  ：室外側壁部
１２１ｈ  ：係合片部
１２１ｉ  ：突状部
１２１ｊ  ：係合片部
１２１ｋ  ：係合片部
１２２    ：樹脂下枠
１２２ａ  ：樹脂下枠本体
１２２ｂ  ：鍔部
１２３    ：樹脂レール部材
１２３ａ  ：樹脂レール部
１２３ｂ  ：室内カバー部
１２３ｃ  ：室外カバー部
１２３ｅ  ：補強芯材
１２３ｆ  ：突状部
１２３ｇ  ：係止爪
１２３ｋ  ：切り欠き部
１２４    ：金属レール部材
１２４ａ  ：金属レール部
１２４ｂ  ：室外脚部
１２４ｃ  ：室外脚部
１２４ｄ  ：突出部
１３      ：左縦框
１４      ：右竪枠
２        ：内障子
３        ：外障子
【図１】
2019035227.tif 000003
【図２】
2019035227.tif 000004
【図３】
2019035227.tif 000005
【図４】
2019035227.tif 000006
【図５】
2019035227.tif 000007
【図６】
2019035227.tif 000008